(57)【要約】【課題】本発明は、映像信号の圧縮処理時間が短く、限られた帯域幅の伝送路に必要な映像信号を伝送することができる圧縮機能を有する撮像装置を提供する。【解決手段】イメージセンサ１から出力された信号を、１画素を第１ビット数で表現するデジタル映像信号に変換するＡ／Ｄ変換手段４と、１画面を構成するデジタル映像信号を、隣接する複数の画素を有するブロック単位に分割するブロック分割手段１０と、ブロック毎に、デジタル映像信号の最小値及び最大値を検出する最大値最小値検出手段１１と、ブロック毎に、各画素のデジタル映像信号と最小値との差分値を算出する差分値算出手段１２と、ブロック毎に、デジタル映像信号のダイナミックレンジを第１ビット数より少ない第２ビット数で分割して、各ステップに対応する階調を設定した量子化ステップを算出し、量子化ステップに従って差分値を符号化する符号化手段１３とを備える。【選択図】図２
2005086226.tif 000002
【特許請求の範囲】
【請求項１】
撮像素子から出力された信号を、１画素を第１ビット数で表現するデジタル映像信号に変換するデジタル変換手段と、
前記デジタル映像信号を圧縮符号化する圧縮符号化手段を備え、
前記圧縮符号化手段は、
１画面を構成する前記デジタル映像信号を、隣接する複数の画素を有するブロック単位に分割するブロック分割手段と、
前記ブロック毎に、前記デジタル映像信号の最小値及び最大値を検出する検出手段と、
前記ブロック毎に、各画素の前記デジタル映像信号と前記最小値との差分値を算出する差分値算出手段と、
前記ブロック毎に、前記デジタル映像信号の前記最小値と前記最大値により求められたダイナミックレンジを前記第１ビット数より少ない第２ビット数で分割して、各ステップに対応する階調を設定した量子化ステップを算出し、前記量子化ステップに従って前記差分値を符号化する符号化手段とを備えることを特徴とする撮像装置。
【請求項２】
請求項１に記載の撮像装置であって、
前記デジタル変換手段と前記圧縮符号化手段の間に、前記デジタル映像信号の色表現形式を変換する形式変換手段をさらに備えることを特徴とする撮像装置。
【請求項３】
請求項１又は請求項２に記載の撮像装置であって、
圧縮された前記デジタル映像信号に付加するデータに対して、前記デジタル映像信号の使用される階調以外に対応するデータ区間を削減するデータ削減手段をさらに備えることを特徴とする撮像装置。
【請求項４】
請求項１乃至請求項３のいずれかに記載の撮像装置であって、
前記量子化ステップは、車両情報に基づいて各ステップに対応する階調を可変させることを特徴とする撮像装置。
【請求項５】
請求項１乃至請求項３のいずれかに記載の撮像装置であって、
前記量子化ステップは、測光情報に基づいて各ステップに対応する階調を可変させることを特徴とする撮像装置。
【請求項６】
請求項１乃至請求項５のいずれかに記載の撮像装置であって、
前記撮像装置は車載用の撮像装置であることを特徴とする撮像装置。
【発明の詳細な説明】
【技術分野】
【０００１】
本発明は、撮像装置に係る発明であって、特に、車載などに用いられる映像圧縮機能を有する撮像装置に関するものである。
【背景技術】
【０００２】
近年、撮像装置はデジタル化され携帯電話や車両などへの搭載が進んでいる。そして、これら搭載される撮像装置も高解像度化が進み、伝送される映像信号のデータ量が大幅に増大している。そのため、限られた帯域幅の伝送路に映像信号を伝送するには、映像信号のデータ量を圧縮することが必要不可欠となってきている。
【０００３】
映像信号のデータ量を削減する方法の１つとして、映像信号の色表現形式をＲＧＢ形式からＹＵＶ形式に変換する方法がある。このＹＵＶ形式は、輝度信号（Ｙ）と、輝度信号と赤色成分の差（Ｕ）、輝度信号と青色成分の差（Ｖ）の３つの情報で色を表す形式である。そのため、輝度の変化には敏感であるが色差の変化には鈍感であるという人間の視覚の特性を利用して、ＹＵＶ形式は、人間の目で認識できない冗長なデータを削除して映像信号のデータ量を削減している。
【０００４】
さらに、ＹＵＶ形式への変換に加えて、符号化による圧縮機能を備えた撮像装置の従来例を特許文献１に示す。特許文献１では、ＲＧＢ形式からＹＵＶ形式に変換後、ＤＰＣＭ符号化及びエントロピー符号化して映像信号を圧縮している。ＤＰＣＭ符号化及びエントロピー符号化については、特許文献１に詳しく説明されている。
【０００５】
【特許文献１】特開２００１−９５０１２号公報
【発明の開示】
【発明が解決しようとする課題】
【０００６】
映像信号の色表現形式をＲＧＢ形式からＹＵＶ形式に変換するだけでは、限られた帯域幅の伝送路にデータ量の多い映像信号を伝送することは困難である。そのため、特許文献１のような符号化による圧縮が必要となる。この符号化による圧縮は、特許文献１で示した方法以外に、圧縮率を重視したＭＰＥＧ（Moving Picture Experts Group）による方法などがある。
【０００７】
しかし、従来の符号化による圧縮は高度な処理が必要となり、圧縮処理に時間がかかる問題があった。特に、車載用の撮像装置では、撮像信号をリアルタイムで処理することが重要視される。そのため、映像信号の伝送に遅延が生じる符号化による圧縮を、車載用の撮像装置には採用することができない問題があった。
【０００８】
そこで、本発明は、映像信号の圧縮処理時間が短く、限られた帯域幅の伝送路に必要な映像信号を伝送することができる圧縮機能を有する撮像装置を提供することを目的とする。
【課題を解決するための手段】
【０００９】
本発明に係る解決手段は、撮像素子から出力された信号を、１画素を第１ビット数で表現するデジタル映像信号に変換するデジタル変換手段と、デジタル映像信号を圧縮符号化する圧縮符号化手段を備え、圧縮符号化手段は、１画面を構成するデジタル映像信号を、隣接する複数の画素を有するブロック単位に分割するブロック分割手段と、ブロック毎に、デジタル映像信号の最小値及び最大値を検出する検出手段と、ブロック毎に、各画素のデジタル映像信号と最小値との差分値を算出する差分値算出手段と、ブロック毎に、デジタル映像信号の最小値と最大値により求められたダイナミックレンジを第１ビット数より少ない第２ビット数で分割して、各ステップに対応する階調を設定した量子化ステップを算出し、量子化ステップに従って差分値を符号化する符号化手段とを備える。
【００１０】
また、本発明に係る別の解決手段は、デジタル変換手段と圧縮符号化手段の間に、デジタル映像信号の色表現形式を変換する形式変換手段をさらに備える。
【００１１】
さらに、本発明に係る別の解決手段は、圧縮されたデジタル映像信号に付加するデータに対して、デジタル映像信号の使用される階調以外に対応するデータ区間を削減するデータ削減手段をさらに備える。
【００１２】
また、本発明に係る別の解決手段は、量子化ステップは、車両情報に基づいて各ステップに対応する階調を可変させる。
【００１３】
さらに、本発明に係る別の解決手段は、量子化ステップは、測光情報に基づいて各ステップに対応する階調を可変させる。
【００１４】
また、本発明に係る別の解決手段は、撮像装置は車載用の撮像装置である。
【発明の効果】
【００１５】
本発明に記載の撮像装置は、撮像素子から出力された信号を、１画素を第１ビット数で表現するデジタル映像信号に変換するデジタル変換手段と、デジタル映像信号を圧縮符号化する圧縮符号化手段を備え、圧縮符号化手段は、１画面を構成するデジタル映像信号を、隣接する複数の画素を有するブロック単位に分割するブロック分割手段と、ブロック毎に、デジタル映像信号の最小値及び最大値を検出する検出手段と、ブロック毎に、各画素のデジタル映像信号と最小値との差分値を算出する差分値算出手段と、ブロック毎に、デジタル映像信号の最小値と最大値により求められたダイナミックレンジを第１ビット数より少ない第２ビット数で分割して、各ステップに対応する階調を設定した量子化ステップを算出し、量子化ステップに従って差分値を符号化する符号化手段とを備えるので、映像信号の圧縮処理時間が短く、限られた帯域幅の伝送路であっても必要な映像信号を伝送することができる効果がある。
【００１６】
また、本発明に記載の撮像装置は、デジタル変換手段と圧縮符号化手段の間に、デジタル映像信号の色表現形式を変換する形式変換手段をさらに備えるので、人間の目で認識できない冗長なデータを削除でき、圧縮率を上げることができる効果がある。
【００１７】
さらに、本発明に記載の撮像装置は、圧縮されたデジタル映像信号に付加するデータに対して、デジタル映像信号の使用される階調以外に対応するデータ区間を削減するデータ削減手段をさらに備えるので、圧縮したデジタル映像信号に付加するデータ量を低減でき、より限られた帯域幅の伝送路であっても必要な映像信号を伝送することができる効果がある。
【００１８】
また、本発明に記載の撮像装置は、量子化ステップが、車両情報に基づいて各ステップに対応する階調を可変させるので、車両情報に基づく最適な圧縮デジタル映像信号が得られ、限られた帯域幅の伝送路でも必要な映像信号を伝送することができる効果がある。
【００１９】
さらに、本発明に記載の撮像装置は、量子化ステップが、測光情報に基づいて各ステップに対応する階調を可変させるので、測光情報に基づく最適な圧縮デジタル映像信号が得られ、限られた帯域幅の伝送路でも必要な映像信号を伝送することができる効果がある。
【００２０】
また、本発明に記載の撮像装置は、撮像装置は車載用の撮像装置であるので、車載用の限られた帯域幅の伝送路であっても必要な映像信号を伝送することができる効果がある。
【発明を実施するための最良の形態】
【００２１】
（第１の実施の形態）
図１に、本実施の形態に係る車両周辺の撮像等に使用される車載用撮像装置のブロック図を示す。図１に示す撮像装置は、イメージセンサ１、信号処理部２とエンコーダ３により構成されている。
【００２２】
イメージセンサ１は、映像を映像信号に変換するセンサであり、例えばＣＣＤ（Charge Coupled Device）などがある。このイメージセンサ１から出力される映像信号は、色表現形式がＲＧＢ形式であり、アナログ信号である。
【００２３】
信号処理部２は、Ａ／Ｄ変換手段４、ＲＧＢ−ＹＵＶ変換手段５と圧縮符号化手段６により構成されている。Ａ／Ｄ変換手段４は、イメージセンサ１から出力されたアナログ信号をデジタル信号の映像信号（以下、デジタル映像信号ともいう）に変換する手段である。例えば、アナログ信号の各成分（ＲＧＢ）をそれぞれ８ビット（２５６階調）のデジタル映像信号に変換する。
【００２４】
ＲＧＢ−ＹＵＶ変換手段５は、デジタル映像信号の色表現形式をＹＵＶ形式に変換する。背景技術でも述べたように、ＹＵＶ形式は、輝度信号（Ｙ）と、輝度信号と赤色成分の差（Ｕ）、輝度信号と青色成分の差（Ｖ）の３つの情報で色を表す形式である。そのため、ＲＧＢ形式をＹＵＶ形式に変換することで、人間の目で認識できない冗長なデータを削除できる。圧縮符号化手段６は、ＹＵＶ形式に変換されたデジタル映像信号を、符号化による圧縮によりデジタル映像信号のデータ量を減少させる。エンコーダ３は、圧縮符号化手段６により圧縮されたデジタル映像信号をエンコードする。
【００２５】
次に、圧縮符号化手段６について詳しく説明する。図２に、圧縮符号化手段６のブロック図を示す。この圧縮符号化手段６は、ブロック分割手段１０、最大値最小値検出手段１１、差分値算出手段１２と符号化手段１３により構成されている。
【００２６】
まず、ブロック分割手段１０において、１画面を構成するデジタル映像信号を、隣接する複数の画素を有するブロック単位に分割する。ブロックの大きさは任意であるが、例えば４画素×４画素を１ブロックとして、６４画素×６４画素の１画面なら２５６個のブロックに分割することになる。図３に、１ブロック（４画素×４画素）のデジタル映像信号の例を示す。なお、本来１画素は、Ｙ成分、Ｕ成分、Ｖ成分の３つの成分から構成されているが、図３では１つの成分（例えばＵ成分）のみのデジタル映像信号として概念的に表現している。
【００２７】
図３では、各画素を８ビットのデジタル映像信号として表現している。つまり、１画素のＹ成分、Ｕ成分、Ｖ成分は、それぞれ２５６階調（８ビット）のデジタル映像信号で表現されている。図３（ａ）及び図３（ｂ）に示されている数字は、１画素のある成分（例えばＵ成分）の階調を表している。例えば、図３（ａ）の左上の画素は、９階調（以下、階調を省略する場合がある）であることを表している。また、図３（ａ）は、隣接する画素の相関が高い（隣接する画素の階調差が小さい）ブロックを示し、図３（ｂ）は、隣接する画素の相関が低い（隣接する画素の階調差が大きい）ブロックを示している。
【００２８】
次に、最大値最小値検出手段１１において、ブロック毎にデジタル映像信号の最大値と最小値とを検出する。つまり、ブロック内の最大階調と最小階調とを検出する。具体的に図３（ａ）では、最大値が９、最小値が６となり、図３（ｂ）では、最大値３６、最小値６となる。なお、デジタル映像信号の最大値と最小値は、各ブロックの各成分に対してそれぞれ求める。６４画素×６４画素の１画面なら、２５６ブロック×３成分＝７６８個の最大値と最小値が求められる。
【００２９】
次に、差分値算出手段１２において、ブロック毎に、各画素のデジタル映像信号と最小値との差分値を算出する。つまり、ブロック内の各画素から当該ブロックの最小階調を減算する。具体的に図３（ａ）では、最小値６をブロック内の各画素から減算する。その結果図３（ａ）の差分値は、図３（ｃ）に示すように０から３までの値となる。同様に図３（ｂ）でも最小値６をブロック内の各画素から減算する。その結果図３（ｂ）の差分値は、図３（ｄ）に示すように０から３０までの値となる。
【００３０】
次に、符号化手段１３において、８ビットのデジタル映像信号を３ビットのデジタル映像信号に圧縮して符号化する。図３（ａ）に示した８ビットのデジタル映像信号は、最小値との差分をとることにより、図３（ｃ）に示すように差分値（階調）が０から３までの値となる。階調が０から３までの値となれば、図３（ａ）に示した８ビットのデジタル映像信号を３ビット（最大８階調まで表現できる）のデジタル映像信号として符号化することが可能となる。しかし、図３（ｂ）に示した８ビットのデジタル映像信号は、最小値との差分をとっても、図３（ｄ）に示すように差分値（階調）が０から３０までの値となる。そのため、図３（ｂ）に示した８ビットのデジタル映像信号を３ビットのデジタル映像信号として符号化することができない。
【００３１】
つまり、単に最小値との差分をとっただけでは、隣接する画素の相関が低い図３（ｂ）に示すブロックにおいて、８ビットのデジタル映像信号を３ビットのデジタル映像信号として符号化することができない。この３ビットのデジタル映像信号は、８つのステップをもつ量子化ステップと解釈できる。そして、この各ステップに１つの階調を割り当てると０から７までの８階調しか表現できず、図３（ｄ）に示すように差分値（階調）が０から３０までの値は表現できない。
【００３２】
そこで、本実施の形態では、各ステップに複数の階調を割り当てることで、８ビットのデジタル映像信号を３ビットのデジタル映像信号で表現する。つまり、８つのステップで０から３０までの差分値（階調）を表現するために、各ステップに４つの差分値を対応させる。具体的には、０ステップに差分値０から３を対応させ、１ステップに差分値４から７を対応させ、以下同様に７ステップに差分値２８から３１を対応させている。その結果、図３（ｂ）に示す８ビットのデジタル映像信号を、図３（ｅ）に示すように０から７までの３ビットのデジタル映像信号として符号化することが可能となる。
【００３３】
符号化手段１３において、各ステップに対応する階調を設定した量子化ステップを算出するには、デジタル映像信号のダイナミックレンジを圧縮後のビット数で分割して求める。具体的には、図３（ｂ）のデジタル映像信号のダイナミックレンジは、最大値３６と最小値６から求められ３１階調である。この３１階調のダイナミックレンジを圧縮後のビット数である３ビット（８ステップ）で割ると、各ステップに４階調ずつ対応させた量子化ステップを算出できる。そして、各画素の差分値を算出した量子化ステップに従って符号化することで、８ビットのデジタル映像信号を３ビットのデジタル映像信号に圧縮している。
【００３４】
同様に、図３（ａ）のデジタル映像信号のダイナミックレンジは、最大値９と最小値６から求められ４階調である。この４階調のダイナミックレンジを圧縮後のビット数である３ビット（８ステップ）で割ることで各ステップ０．５階調と求まる。しかし、各ステップに対応する階調数は整数であるため、少数点以下を繰り上げて計算する。その結果、図３（ａ）では、各ステップに１階調ずつ対応させた量子化ステップを算出できる。そして、各画素の差分値を算出した量子化ステップに従って符号化することで、８ビットのデジタル映像信号を３ビットのデジタル映像信号に圧縮している。
【００３５】
ブロック分割手段１０から符号化手段１３までの圧縮符号化手段６の処理により、３ビットに圧縮されたデジタル映像信号は、各ブロックの最小値及びダイナミックレンジが付加されてエンコーダ３に出力される。そして、エンコーダ３では、所定の処理によりデジタル映像信号及び付加されたデータをエンコードする。その後、エンコーダ３から帯域幅に制限のある伝送路に、エンコードされた３ビットのデジタル映像信号及び付加されたデータが伝送される。
【００３６】
以上のように、本実施の形態に記載した撮像装置は、ブロック毎に、デジタル映像信号のダイナミックレンジを圧縮後のビット数で分割して、各ステップに対応する階調を設定した量子化ステップを算出して、この量子化ステップに従って差分値を符号化する符号化手段１３とを備えるので、映像信号の圧縮処理時間が短く、限られた帯域幅の伝送路であっても必要な映像信号を伝送することができる圧縮機能を有する。
【００３７】
また、本実施の形態に記載した撮像装置は、Ａ／Ｄ変換手段４後に、ＲＧＢ−ＹＵＶ変換手段５をさらに備えるので、人間の目で認識できない冗長なデータを削除でき、圧縮率を上げることができる。
【００３８】
なお、本実施の形態では、Ａ／Ｄ変換手段４後のデジタル映像信号を８ビットとし、圧縮符号化６後のデジタル映像信号を３ビットとしているが、本発明はこれに限られない。
【００３９】
（第２の実施の形態）
第１の実施の形態で示した圧縮されたデジタル映像信号には、各ブロックの最小値とダイナミックレンジのデータ（以下、付加データともいう）が付加される。この付加データは、圧縮されたデジタル映像信号を復元する際に伝送先で必要となるデータである。そのため、圧縮されたデジタル映像信号と共に、必ず伝送されるデータである。本実施の形態では、この付加データにおける冗長なデータを削減することで、伝送するデータ量を低減することを目的としている。この冗長なデータを削減する手段（データ削減手段ともいう）は、符号化手段１３後に設けられる。
【００４０】
付加データである最小値とダイナミックレンジは、それぞれ圧縮される前のデジタル映像信号のビット数がデータ区間として確保されている。第１の実施の形態における圧縮前のデジタル映像信号は、８ビットであるため、最小値及びダイナミックレンジもそれぞれ８ビットのデータ区間を確保しなければならない。つまり、最小値及びダイナミックレンジはそれぞれ０から２５５（又は−１２８から１２７）までの階調に対応できるデータ区間を確保しなければならない。
【００４１】
しかし、実際のデジタル映像信号は、０から２５５までの階調の全てを利用することはない。図４に、実際のデジタル映像信号におけるＵ成分の頻度分布を示す。図４では、横軸が−１２８から１２７までの階調、縦軸が頻度をそれぞれ表している。図４を見ると、実際のデジタル映像信号では、ほとんどの信号が０階調の前後数十階調の間に現れている。他の成分であるＹ成分やＶ成分についても図４と同様の傾向がある。
【００４２】
そこで、本実施の形態では、実際のデジタル映像信号が一部の範囲の階調しか使用していないことを利用して、冗長なデータを削減する。つまり、付加データのために確保したデータ区間のうち、図４の１２７階調の近傍に対応する上位数ビット分のデータ区間を削除する。これにより、付加データのデータ量を削減することができる。なお、削除できる上位ビットの数は、撮像装置が使用される目的などにより異なる。
【００４３】
また、図４の−１２８階調の近傍も実際のデジタル映像信号はあまり利用していない。そのため、付加データのために確保したデータ区間のうち、図４の−１２８階調の近傍に対応する下位数ビット分のデータ区間も削除する。これにより、付加データのデータ量をさらに削減することができる。
【００４４】
但し、各ブロック間で異なるビット数の下位ビットをデータ区間から削除した場合、デジタル映像信号を復元した際に各ブロック間に誤差が生じることが考えられる。しかし、各ブロック間に生じる誤差を人間の目に感じさせないレベルにすれば問題がない。そのため、削除できる下位ビットの数は、各ブロック間に生じる誤差が人間の目に感じない範囲とする。これにより、映像の品質を落とさずに付加データのデータ量を削減することができる。
【００４５】
以上のように、本実施の形態に記載した撮像装置は、付加データに対して、デジタル映像信号の使用される階調以外に対応するデータ区間を削減するデータ削減手段をさらに備えるので、圧縮したデジタル映像信号に付加するデータ量を低減でき、より限られた帯域幅の伝送路であっても必要な映像信号を伝送することができる。
【００４６】
（第３の実施の形態）
第１の実施の形態で示した圧縮されたデジタル映像信号では、量子化ステップの各ステップに対応させる階調数は同数であった。しかし、本実施の形態では、撮像装置を載せる車両からの情報などにより、量子化ステップの各ステップに対応させる階調数を可変させる。これにより、本実施の形態に係る撮像装置では、最適な映像を得ることができる。
【００４７】
図５（ａ）に、量子化ステップの各ステップに対応させる階調数は同数である場合の概念図を示す。第１の実施の形態で示した８つのステップに対して３２の階調が対応する例に基づいて、図５（ａ）を説明する。まず、図５（ａ）に示された量子化ステップには、８つのステップ（０ステップから７ステップまで）が設けられている。図３（ｄ）に示す差分値（階調）を表現するために、各ステップに４階調ずつ対応させる。具体的には、０階調から３階調までを０ステップに、４階調から７階調までを１ステップに、以下同様に２８階調から３１階調までを７ステップにそれぞれ対応させている。
【００４８】
次に、撮像装置を載せる車両の情報に応じて、各ステップに対応させる階調数を可変させる場合について説明する。この車両情報としては、例えば車両のイルミネーション情報がある。この車両のイルミネーション情報とは、イルミネーションのＯＮ・ＯＦＦ情報である。イルミネーションをＯＮにするような夜間の場合、撮像装置で撮像される映像は全体的に暗い映像となる。つまり、映像は、低い階調部分を中心としたデジタル映像信号となる。この暗い映像を図５（ａ）に示す階調を均等配分する量子化ステップでデジタル映像信号とした場合、あまり使用されない高い階調部分に多くのステップが割り振られ、低い階調部分の階調変化にステップが対応できない。
【００４９】
そこで、本実施の形態では、イルミネーションをＯＮにする車両情報を撮像装置が得た場合、低い階調部分では各ステップに対応する階調数を減らし、高い階調部分では各ステップに対応する階調数を増やす。図５（ｂ）に、イルミネーションがＯＮの場合における量子化ステップの概念図を示す。図５（ｂ）でも、図５（ａ）と同様８つのステップに対して３２の階調が対応している。しかし、図５（ｂ）では、０ステップから５ステップまでの各ステップに２階調ずつが対応し、６ステップ及び７ステップの各ステップに１０階調ずつが対応している。
【００５０】
逆に、イルミネーションをＯＦＦにするような昼間の場合、撮像装置で撮像される映像は全体的に明るい映像となる。つまり、映像は、高い階調部分を中心としたデジタル映像信号となる。この明るい映像を図５（ａ）に示す階調を均等配分する量子化ステップでデジタル映像信号とした場合、あまり使用されない低い階調部分に多くのステップが割り振られ、高い階調部分の階調変化にステップが対応できない。
【００５１】
そこで、本実施の形態では、イルミネーションをＯＦＦにする車両情報を撮像装置が得た場合、高い階調部分では各ステップに対応する階調数を減らし、低い階調部分では各ステップに対応する階調数を増やす。図５（ｃ）に、イルミネーションがＯＦＦの場合における量子化ステップの概念図を示す。図５（ｃ）でも、図５（ａ）と同様８つのステップに対して３２の階調が対応している。しかし、図５（ｃ）では、０ステップ及び１ステップの各ステップに１０階調ずつが対応し、２ステップから７ステップまでの各ステップに２階調ずつが対応している。
【００５２】
図５（ｂ）や図５（ｃ）に示すような量子化ステップは、予め量子化パターンとしてメモリ等に記憶している。そして、車両情報に基づきメモリから量子化パターンを読み出して、量子化パターンを撮像装置に使用する量子化ステップとしている。
【００５３】
上記では、車両情報に基づいて量子化ステップの各ステップに対応させる階調数を可変させていた。しかし、車両情報以外に基づいても量子化ステップの各ステップに対応させる階調数を可変させることが考えられる。例えば、撮像装置の映像を測光した情報（測光情報ともいう）に基づく場合が考えられる。具体的には、イメージセンサ１で得た映像を測光することで、低い階調部分を中心とした映像（全体的に暗い映像）なのか、高い階調部分を中心とした映像（全体的に明るい映像）なのかの測光情報が得られる。
【００５４】
この測光情報に基づいて、低い階調部分を中心とした映像の場合、量子化ステップに対して低い階調部分では各ステップに対応する階調数を減らし、高い階調部分では各ステップに対応する階調数を増やす。つまり、イルミネーションをＯＮにする車両情報と同様、図５（ｂ）のような量子化ステップになる。また、高い階調部分を中心とした映像の場合、量子化ステップに対して高い階調部分では各ステップに対応する階調数を減らし、低い階調部分では各ステップに対応する階調数を増やす。つまり、イルミネーションをＯＦＦにする車両情報と同様、図５（ｃ）のような量子化ステップになる。
【００５５】
以上のように、本実施の形態に記載した撮像装置は、量子化ステップが、車両情報又は測光情報に基づいて各ステップに対応する階調を可変させるので、映像にあった最適な圧縮デジタル映像信号が得られ、限られた帯域幅の伝送路でも必要な映像信号を伝送することができる。
【００５６】
なお、図５（ｂ）及び図５（ｃ）に示した量子化ステップは一例であり、得られる映像にあった最適な量子化ステップであれば良い。また、イルミネーションのＯＮ・ＯＦＦ情報は車両情報の一例であり、他の車両情報であっても良い。さらに、測光情報は、イメージセンサ１で得た映像を測光した情報ではなく、撮像装置以外に設けられた光センサにより得られた測光情報であっても良い。
【図面の簡単な説明】
【００５７】
【図１】本発明の第１の実施の形態に係る撮像装置のブロック図である。
【図２】本発明の第１の実施の形態に係る圧縮符号化手段のブロック図である。
【図３】本発明の第１の実施の形態に係るブロック内の映像信号を示す図である。
【図４】本発明の第２の実施の形態に係る映像信号の頻度を示す図である。
【図５】本発明の第３の実施の形態に係る量子化ステップを示す図である。
【符号の説明】
【００５８】
１  イメージセンサ
２  信号処理部
３  エンコーダ
４  Ａ／Ｄ変換手段
５  ＲＧＢ−ＹＵＶ変換手段
６  圧縮符号化手段
１０  ブロック分割手段
１１  最大値最小値検出手段
１２  差分値算出手段
１３  符号化手段
【図１】
2005086226.tif 000003
【図２】
2005086226.tif 000004
【図３】
2005086226.tif 000005
【図４】
2005086226.tif 000006
【図５】
2005086226.tif 000007